(57)【要約】【課題】ステープル等の封緘副資材を使用せずに容易に箱底の組立ができ、底抜けし難い底面ロック構造を提供する。【解決手段】底フラップに、該フラップの中央の一点ａから該フラップの基部両隅または基部近傍の両側縁に向かって斜めに延びる一対の折線イを設けるとともに、該フラップの自由端の両隅に一対の差込片１１ａ，１１ｂを形成し、各差込片にアンダーカットされた溝部１３を有するフック部１２を形成し、さらに該フラップの自由端の中央部に指穴を有する手掛け部１４を形成する一方、前記底板の両側縁寄りにコ字形または逆コ字形の一対の差込口１５ａ、１５ｂを形成し、その内側に舌片１６ａ、１６ｂを設けて、箱組立時に前記斜めの折線イにより前記差込片１１ａ，１１ｂを前記差込口１５ａ、１５ｂに対して斜め方向に差し込んで、フック部１２と差込口１５ａ、１５ｂを係合させることにより底板と底フラップとを重ね合わせて底面をロックすることを特徴とする。【選択図】      図１
2004268922.tif 000002
【特許請求の範囲】
【請求項１】
一対の側壁の下辺から延出した底板と、一対の端壁の下辺からから延出した底フラップとを重ね合わせて、箱の底面を封緘しロックする段ボール箱において、
前記底フラップに、該フラップの中央の一点ａから該フラップの基部両隅または基部近傍の両側縁に向かって斜めに延びる一対の折線を設けるとともに、該フラップの自由端の両隅に一対の差込片１１ａ，１１ｂを形成し、各差込片にアンダーカットされた溝部１３を有するフック部１２を形成し、さらに該フラップの自由端の中央部に手掛け部１４を形成する一方、前記底板の両側縁寄りにコ字形または逆コ字形した一対の差込口１５ａ、１５ｂを形成し、その内側に舌片１６ａ、１６ｂを設けて、箱組立時に前記斜めの折線イにより前記差込片１１ａ，１１ｂを前記差込口１５ａ、１５ｂに対して斜め方向に差し込んで、フック部１２と差込口１５ａ、１５ｂを係合させることにより底板と底フラップとを重ね合わせて底面を封緘しロックすることを特徴とする簡易封緘箱。
【請求項２】
一対の側壁の下辺から延出した底板と、一対の端壁の下辺からから延出した底フラップとを重ね合わせて、箱の底面を封緘しロックする段ボール箱において、
前記底フラップにＹ字状の折線を設け、該フラップの自由端の両隅に一対の差込片１１ａ，１１ｂを形成し、各差込片にアンダーカットされた溝部１３を有するフック部１２を形成し、さらに該フラップの自由端の中央部に手掛け部１４を形成する一方、前記底板の両側縁寄りにコ字形または逆コ字形の一対の差込口１５ａ、１５ｂを形成し、その内側に舌片１６ａ、１６ｂを設けて、箱組立時に前記Ｙ字状の折線により前記差込片１１ａ，１１ｂを前記差込口１５ａ、１５ｂに対して斜め方向に差し込んで、フック部１２と差込口１５ａ、１５ｂを係合させることにより底板と底フラップとを重ね合わせて底面を封緘しロックすることを特徴とする簡易封緘箱。
【請求項３】
一対の側壁の上辺から延出した天板と、一対の端壁の上辺からから延出した天フラップとを重ね合わせて、箱の天面を封緘しロックする段ボール箱において、
前記天フラップに、該フラップの中央の一点から該フラップの基部両隅または基部近傍の両側縁に向かって斜めに延びる一対の折線を設けるとともに、該フラップの自由端の両隅に一対の差込片を形成し、各差込片にアンダーカットされた溝部を有するフック部を形成し、さらに該フラップの自由端の中央部に手掛け部を形成する一方、前記底板の両側縁寄りにコ字形または逆コ字形した一対の差込口を形成し、その内側に舌片を設けて、箱組立時に前記斜めの折線により前記差込片を前記差込口に対して斜め方向に差し込んで、フック部と差込口を係合させることにより天板と天フラップとを重ね合わせて天面を封緘しロックすることを特徴とする簡易封緘箱。
【請求項４】
一対の側壁の上辺から延出した天板と、一対の端壁の上辺からから延出した天フラップとを重ね合わせて、箱の天面を封緘しロックする段ボール箱において、
前記天フラップにＹ字状の折線を設け、該フラップの自由端の両隅に一対の差込片を形成し、各差込片にアンダーカットされた溝部を有するフック部を形成し、さらに該フラップの自由端の中央部に手掛け部を形成する一方、前記天板の両側縁寄りにコ字形または逆コ字形の一対の差込口を形成し、その内側に舌片を設けて、箱組立時に前記Ｙ字状の折線により前記差込片を前記差込口に対して斜め方向に差し込んで、フック部と差込口を係合させることにより天板と天フラップとを重ね合わせて天面を封緘しロックすることを特徴とする簡易封緘箱。
【発明の詳細な説明】
【０００１】
【発明の属する技術分野】
本発明は、主として青果物の輸送に使用する簡易封緘箱に関する。
【０００２】
【従来の技術】
従来、青果物を出荷する場合、青果物の生産者サイドで一度に多数の箱を組立て、これに荷詰めして出荷するので組立てが容易なＪＩＳ−Ｚ１５０７の０２０１形式（旧Ａ−１形）の段ボール箱が多用されている。
この段ボール箱は、長方形状の４側板を一方向に連接し、箱の底面及び天面を封緘するため、底面に底板及び底フラップを、また天面には天板及び天フラップを連接してなるほぼ直方体形状の箱であり、底組みに際しては、連接した４枚の側板を角筒状に連結し、底板及び底フラップを箱の内側に折り曲げ、重ねあわせた部分を金属製のコ字状ステープルを専用マシン（ボクサーと呼ばれている）で打ち込んでジョイントするか、あるいは粘着テープで固定して底組みしていた。
【０００３】
しかし、予め底組みしておくと、保管や運搬作業時に嵩張って効率が悪い。また、ステープルによる底組み作業は、底組みの都度、ステープルとその打込みマシンを用意する必要があるが、ステープル打ち込みマシンは、重くて力を要するので非力の人間には取り扱いが大変であり、労力とコストが嵩む問題がある。さらにまた、商品を取り出した後使用済みの箱を廃棄処分する場合、分解も簡単ではなく、金属のステープルが混入したままであると、分解するとき、あるいは集積作業時にけがをする危険性を有している。ゴミ減量のため使用済みの箱を古紙として再利用する場合にあっても、金属のステープルは分別し除去する作業が必要であり、処理コストがかさむ問題がある。
一方、底に粘着テープを貼着する方式も手間がかかり、省力化の点で満足できるものではない。使用済みの箱を古紙として再利用する場合にあっても、テープが剥がしずらく、ステープルと同様に、粘着テープを不純物として箱から分別するのに手間がかかるという不具合がある。
【０００４】
以上のことから封緘資材を使わない段ボール箱が、農産物の生産者から求められており、また流通業者や小売業者などからも廃棄物の後処理に伴う問題の解決、廃棄作業の軽減化等が要望されている。
【０００５】
ステープルおよび粘着テープなどの封緘資材を使用しないで、底止めできる段ボール箱としては、従来、特許文献１の発明が知られている。
特許文献１の箱の底面のロック方式は、底フラップの自由端部両側縁を切り込んで差込片を設け、底板に設けたコ字状の切込を設けて、その内側を抑止片とし、前記差込片をコ字状の切込に差し込み、箱の内部に突出した差込片が内容物に押されて折れ曲がることにより抜けにくくしたものであった。しかし、前記差込片は内容物に押されて折れ曲がることにより抜けにくくしたものであるため、差込片は折れ曲がりの角度が浅いとコ字状の切込から抜けやすく、また、重い内容物により、底板と底フラップの両方が撓んで、差込片が切込から抜け落ち、底抜けするという問題が指摘されていた。
【０００６】
【特許文献１】特許第３０５６７３７号明細書
【０００７】
【発明が解決しようとする課題】
本発明の目的は、テープやステープル等の封緘資材を使用せずに底組みロックすることができ、さらに底抜けし難い丈夫な箱底を形成できるとともに、解体作業などでの安全性と簡便性の要求に応え、使用後の環境問題も解決できる包装箱を提供するものである。
【０００８】
【課題を解決するための手段】
上記課題を解決するために本発明の箱は、次のような手段を採用した。
本発明の第１は、一対の側壁の下辺から延出した底板と、一対の端壁の下辺からから延出した底フラップとを重ね合わせて、箱の底面を封緘し、ロックする段ボール箱において、
前記底フラップに、該フラップの中央の一点ａから該フラップの基部両隅または基部近傍の両側縁に向かって斜めに延びる一対の折線イを設けるとともに、該フラップの自由端の両隅に一対の差込片１１ａ，１１ｂを形成し、各差込片にアンダーカットされた溝部１３を有するフック部１２を形成し、さらに該フラップの自由端の中央部に指穴を有する手掛け部１４を形成する一方、前記底板の両側縁寄りにコ字形または逆コ字形の一対の差込口１５ａ、１５ｂを形成し、その内側に舌片１６ａ、１６ｂを設けて、箱組立時に前記斜めの折線イにより前記差込片１１ａ，１１ｂを前記差込口１５ａ、１５ｂに対して斜め方向に差し込んで、フック部１２と差込口１５ａ、１５ｂを係合させることにより底板と底フラップとを重ね合わせて底面をロックすることを特徴とする簡易封緘箱である。
【０００９】
第２の発明は、一対の側壁の下辺から延出した底板と、一対の端壁の下辺からから延出した底フラップとを重ね合わせて、箱の底面を封緘しロックする段ボール箱において、
前記底フラップにＹ字状の折線を設けて、該フラップの自由端の両隅に一対の差込片１１ａ，１１ｂを形成し、各差込片にアンダーカットされた溝部１３を有するフック部１２を形成し、さらに該フラップの自由端の中央部に指穴を有する手掛け部１４を形成する一方、前記底板の両側縁寄りにコ字形または逆コ字形の一対の差込口１５ａ、１５ｂを形成し、その内側に舌片１６ａ、１６ｂを設けて、箱組立時に前記Ｙ字状の折線により前記差込片１１ａ，１１ｂを前記差込口１５ａ、１５ｂに対して斜め方向に差し込んで、フック部１２と差込口１５ａ、１５ｂを係合させることにより底板と底フラップとを重ね合わせて底面を封緘しロックすることを特徴とする簡易封緘箱である。
【００１０】
第３の発明は、一対の側壁の上辺から延出した天板と、一対の端壁の上辺からから延出した天フラップとを重ね合わせて、箱の天面を封緘しロックする段ボール箱において、
前記天フラップに、該フラップの中央の一点から該フラップの基部両隅または基部近傍の両側縁に向かって斜めに延びる一対の折線を設けるとともに、該フラップの自由端の両隅に一対の差込片を形成し、各差込片にアンダーカットされた溝部を有するフック部を形成し、さらに該フラップの自由端の中央部に手掛け部を形成する一方、前記底板の両側縁寄りにコ字形または逆コ字形した一対の差込口を形成し、その内側に舌片を設けて、箱組立時に前記斜めの折線により前記差込片を前記差込口に対して斜め方向に差し込んで、フック部と差込口を係合させることにより天板と天フラップとを重ね合わせて天面を封緘しロックすることを特徴とする。
【００１１】
第４の発明は、一対の側壁の上辺から延出した天板と、一対の端壁の上辺からから延出した天フラップとを重ね合わせて、箱の天面を封緘しロックする段ボール箱において、
前記天フラップにＹ字状の折線を設け、該フラップの自由端の両隅に一対の差込片を形成し、各差込片にアンダーカットされた溝部を有するフック部を形成し、さらに該フラップの自由端の中央部に手掛け部を形成する一方、前記天板の両側縁寄りにコ字形または逆コ字形の一対の差込口を形成し、その内側に舌片を設けて、箱組立時に前記Ｙ字状の折線により前記差込片を前記差込口に対して斜め方向に差し込んで、フック部と差込口を係合させることにより天板と天フラップとを重ね合わせて天面を封緘しロックすることを特徴とする。
【００１２】
【発明の実施の形態】
次に、本発明の実施の形態を図面に基づいて説明する。
図１は、第１の実施例を示す段ボール箱を構成するブランクを示すものであり、このブランクは、ほぼ長方形をした１枚の段ボールシートから形成されている。
【００１３】
この第１の実施の形態に示す箱は、ブランクの中央部に、対向する一対の側壁１、１と、他方で対向する一対の端壁２，２を、折線を介し交互に連接する。また前記端壁２，２の上部中央寄りに、手掛け穴３が設けられている。４は側壁１と端壁２とを接合する糊代片であり、一方の側壁１の遊端に設けている。
そして対向する一対の側壁１、１の下辺には底板５、５を連接し、対向する一対の端壁２，２の下辺に底フラップ６、６を連接している。
また対向する一対の側壁１、１の上辺には天板７、７を連接し、対向する一対の端壁２，２の上辺に天フラップ８、８を連接している。
【００１４】
この段ボール箱は、糊代片４を反対側の端壁２に貼着し、扁平に折り畳んだ状態に保管しておき、使用に際し、図２に示すように、各一対の側壁１及び端壁２を４角筒状に起こしてから、底板５と底フラップ６を重ね合わせて、後述するようにステープルなどの封緘資材を使用しないで、差込片１１ａ，１１ｂをＹ字状の折線に沿って起こして差込口１５ａ、１５ｂに対して斜め方向に差し込んでロックすることができるようになっている。
以下、底板と底フラップの構成及び底面の封緘作業と底組みロック方法を説明する。
【００１５】
底フラップ６にＹ字状に折線を形成し、該フラップの中央の一点ａから該フラップの基部両隅または基部近傍の両側縁に向かって斜めに延びる一対の折線イを設けている。そして、前記中央の一点ａからフラップの自由端に向かって下方に延びる折線ロを設け、その折線の両側に一対の差込片１１ａ，１１ｂを形成し、各差込片にアンダーカットされた溝部１３を有するフック部１２を形成し、さらに該フラップの自由端の中央部に指穴を有する手掛け部１４を形成する。
【００１６】
一方、前記底板５には、その両側縁寄りに前記一対の差込片１１ａ，１１ｂに対応させて、コ字形または逆コ字形の一対の差込口１５ａ、１５ｂを形成し、その内側に舌片１６ａ、１６ｂを設ける。因みに前記底板５の基部（付根）から差込口１５までの距離Ａとアンダーカットされた溝部１３の深さＡは、同一寸法に設定するのがよい。
【００１７】
底板５および底フラップ６の長さＦ０は、端壁２の幅Ｗの１／２の長さに形成されているので、各一対の側壁１及び端壁２を４角筒状に起こしてから、底板５と底フラップ６を重ね合わせて箱底面を閉じるときは、底板５、５の自由端部分が突き合わせになり、底面全面が閉塞される。
そして、底組み時に、前記斜めの折線イにより底フラップを折り曲げ、前記差込片１１ａ，１１ｂを前記差込口１５ａ、１５ｂに対して斜め方向に押し込むと、フック部１２は、舌片１６ａ、１６ｂを内側に押下げ、差込口１５ａ、１５ｂに対して斜め（対角線方向）に挿入されるから、容易に差し込むことができ、この差込口を突き破ったり痛めたりすることがない（図２）。
前記差込片１１ａ，１１ｂは差込口１５ａ、１５ｂに押し込まれると、段ボールの反発で斜めの状態から平らの状態に戻ろうとする（図３参照）。野菜などの収納物を箱詰めしたときは、前記差込片１１ａ，１１ｂは底板５に押し付けられる結果、フック部１２と差込口１５ａ、１５ｂの端縁とがロックされるから、ステープルを使わずに、底板５と底フラップ６とを重ね合わせて、底面を迅速に封緘しロックすることができる。
したがって、収納物の荷重で底抜けするようなことはない。
【００１８】
ここで、上記段ボール箱の天板７および天フラップ８の構成及び天面の封緘作業とそのロック方法を簡単に説明する。図に示すように、この実施形態のものは、ステープルを使用せずに天面の封緘が可能にしたものである。なお、以下の実施例に示す天面封緘構造は、本件発明においては一実施例に過ぎないので、実施例の他でも、ステープルや粘着テープを使用しないで済む天面封緘構造であれば、任意の構造を選択することが可能である。第１の実施形態において、天板７および天フラップ８の長さ方向の寸法Ｆ１は、箱の幅面を構成する側板２の幅Ｗの１／２よりも短く形成されている（ショートフラップとなっている）ため、天板７と天フラップ８を重ね合せて箱の天面を封緘するとき、天面には空気が流通できる窓２０が形成される。
【００１９】
上記天板７と天フラップ８に対しては、次のような天面ロック機構が形成されている。すなわち天板７は、自由端の左右両隅部をＬ字状に切り取った切欠部７ａを形成する。一方、天フラップ８はフラップの自由端から中央部にかけて左右一対の係合切込８ａ、８ａを形成する。また、該フラップの中央部から端壁２に連接する折線（連接折線）にかけて、ハの字状に一対の切込み８ｂ、８ｂを設け、このハの字状切込２４の連接線側の端と、係合切込８ａ、８ａの下端部とを結ぶ罫線８ｃ、８ｃを設ける。
【００２０】
天面を封緘する場合、先ず天フラップ８を端壁２に対し９０度折り曲げる。次に、天板７を側板１に対し９０度折り曲げて、天フラップ８の上に重ねる（図６参照）。次に、片方の手で天板７を押さえながら、もう一方の手で天面フラップ８の中央部を握って上方に引き上げる。すると、天フラップ８のハの字状切込８ｂおよび罫線８ｃに沿って天フラップ８の中央部が湾曲して、天フラップ８の両端は、天板７の両端切欠き部７ａを通過して天板７の上側に引き上げられ、Ｌ字状の切欠部７ａに係合切欠き８ａがかみ合うこととなり、その結果、天板７と天フラップ８とは互いに上下かみ合い固定する（図７参照）。
【００２１】
このように、天面を封緘する場合、天板と天フラップを重ね合わせた後、天フラップを持ち上げるだけ、箱内に押し下げる必要がなく、従って、箱内容物に損傷を与えるおそれがない
また、図７に示したように、天面に開口を有していても天板７と天フラップ８は運搬中、荷役中に不用意に開くことなく、天面を確実にロックできる。
なお、内容物の点検時など箱天面を開封するときは、両天フラップ８の中央部自由端を同時に上方向に引き上げると、Ｌ字状の切欠部７ａと係合切込８ａのかみ合いが外れ、箱の天面を容易に開封することができる。
【００２２】
なお、農産物を取り出した後使用済みの箱底を解体するときは、底フラップ６の自由端の中央部に指穴を有する手掛け部１４が形成されているから、この手掛け部１４に指を掛けて、底フラップ６を折線イとロに沿って折り曲げながら、前記差込片１１ａ，１１ｂを差込口１５ａ、１５ｂから引きぬけば、ロックが外れ、底面が開き、容易に解体することができる。
【００２３】
以上、本発明の箱を図示実施例に則して説明してきたが、上記箱底面のロックを天面のロック機構に使用することは自由である。その例を図８に示す。
【００２４】
【発明の効果】
以上説明したように本発明は、長さ面を構成する一対の側壁の上下一方の辺に底板または天板を連接し、幅面を構成する一対の端壁の上下一方の辺に底フラップまたは天フラップを連接して、前記底フラップ又は天フラップに、該フラップの中央の一点から該フラップと基部両隅または基部近傍の両側縁に向かって斜めに延びる一対の折線を設けるとともに、該フラップの自由端の両隅に一対の差込片を形成し、各差込片にアンダーカットされた溝部を有するフック部を形成し、さらに該フラップの自由端の中央部に手掛け部を形成する一方、前記底板または天板の両側縁寄りにコ字形または逆コ字形した一対の差込口を形成し、その内側に舌片を設けて、箱組立時に前記斜めの折線により前記差込片を前記差込口に対して斜め方向に差し込んで、フック部と差込口を係合させることにより底板または天板と、底フラップまたは天フラップとを重ね合わせて底面または天面を封緘しロックするため、フラップの重ね合せ部をステープルでロックした場合と同様に、強力に箱の底面をロックできる。
【００２５】
本発明により、封緘資材を全く使わない段ボール箱が提供でき、また、使用済みの箱を廃棄処分する場合、金属のステープルを分別し除去する作業がなくなり、廃棄作業の軽減化が図れる。
【図面の簡単な説明】
【図１】本発明の第１の実施形態に段ボール箱のブランクを示す平面図である。
【図２】同上実施形態の箱の底組途中の斜視図である。
【図３】底組状態の完成斜視図である。
【図４】同上差込片挿入時における状態を示す説明図である。
【図５】同上実施形態の箱天面の開封状態の斜視図である。
【図６】箱の天面をロックする直前の斜視図である。
【図７】箱の天面をロックした状態を示した斜視図である。
【図８】本発明の他の実施形態を示す部分図である。
【符号の説明】
１  側壁
２  端壁
３  手掛け穴
４  糊代片
５  底板
６  底フラップ
７  天板
８  天フラップ
１１ａ、１１ｂ  差込片
１２  フック部
１３  溝部
１４  手掛け部
１５ａ、１５ｂ  コ字形または逆コ字形差込口
１６ａ、１６ｂ  舌片
２０  通気窓
イ、ロ  折線
【図１】
2004268922.tif 000003
【図２】
2004268922.tif 000004
【図３】
2004268922.tif 000005
【図４】
2004268922.tif 000006
【図５】
2004268922.tif 000007
【図６】
2004268922.tif 000008
【図７】
2004268922.tif 000009
【図８】
2004268922.tif 000010